(57)【要約】【課題】光効率が優れているバックライトアセンブリ及びこれを含む表示装置に関する。【解決手段】バックライトアセンブリは、装置の一方の辺に平行に長い形状であり並んで配列された複数の光源、及び複数の光源を収納する固定部材を含む。光源から出射した光が照射される有効画面領域が形成され、有効画面領域を複数の光源の長さ方向の中心線に対応する線分で分割する場合に、互いに隣接した光源間に位置する分割有効画面領域の平均面積は、有効画面領域の端部及びこれに最も隣接した光源間に位置する端部有効画面領域の面積以下である。【選択図】図１
2006253141.tif 000002
【特許請求の範囲】
【請求項１】
装置の一方の辺に平行に長い形状であり並んで配列された複数の光源及び前記複数の光源を収納する固定部材を含み、
前記光源から出射した光を前面に照射する有効画面領域が形成され、前記有効画面領域を前記複数の光源の長さ方向の中心線に対応する線分で分割する場合に、互いに隣接した光源間に位置する分割有効画面領域の平均面積は、前記有効画面領域の端部及びこれに最も隣接した光源間に位置する端部有効画面領域の面積以下である、バックライトアセンブリ。
【請求項２】
前記固定部材上に設置されて、前記光源から出射される光を反射する反射シートをさらに含み、前記光源の長さ方向に沿って対向する前記反射シートの側面は傾斜面に形成され、前記傾斜面の傾斜角度は５０゜以下である、請求項１に記載のバックライトアセンブリ。
【請求項３】
前記光源の長さ方向に沿って対向する前記固定部材の内側面は傾斜面に形成され、前記傾斜面の傾斜角度は５０゜以下である、請求項１に記載のバックライトアセンブリ。
【請求項４】
前記有効画面領域の中心部へ行くほど前記光源が密に配置された、請求項１に記載のバックライトアセンブリ。
【請求項５】
前記有効画面領域の端部及びこれに最も隣接した光源の中心に対応する前記有効画面領域の一地点間の距離は、互いに隣接した光源間のピッチ以上である、請求項１に記載のバックライトアセンブリ。
【請求項６】
前記有効画面領域の端部及びこれに最も隣接した光源の中心に対応する前記有効画面領域の一地点間の距離は、２０ｍｍ〜２４ｍｍである、請求項１に記載のバックライトアセンブリ。
【請求項７】
前記固定部材は金属部材からなる、請求項１に記載のバックライトアセンブリ。
【請求項８】
前記複数の光源が集まって面光源装置を構成する、請求項１に記載のバックライトアセンブリ。
【請求項９】
前記光源はランプである、請求項１に記載のバックライトアセンブリ。
【請求項１０】
画像を表示するパネルユニット、及び
前記パネルユニットに光を供給するバックライトアセンブリを含み、
前記バックライトアセンブリは、装置の一方の辺に平行に長い形状であって並んで配列された複数の光源、及び前記複数の光源を収納する固定部材を含み、
前記光源から出射した光を前面に照射する有効画面領域が形成され、前記有効画面領域を前記複数の光源の長さ方向の中心線に対応する線分で分割する場合に、互いに隣接した光源間に位置する分割有効画面領域の平均面積は、前記有効画面領域の端部及びこれに最も隣接した光源間に位置する端部有効画面領域の面積以下である、表示装置。
【請求項１１】
前記固定部材上に設置されて、前記光源から出射する光を反射する反射シートをさらに含み、前記光源の長さ方向に沿って対向する前記反射シートの側面は傾斜面に形成され、前記傾斜面の傾斜角度は５０゜以下である、請求項１０に記載の表示装置。
【請求項１２】
前記光源の長さ方向に沿って対向する前記固定部材の内側面は傾斜面に形成され、前記傾斜面の傾斜角度は５０゜以下である、請求項１０に記載の表示装置。
【請求項１３】
前記有効画面領域の中心部へ行くほど前記光源が密に配置された、請求項１０に記載の表示装置。
【請求項１４】
前記有効画面領域の端部及びこれに最も隣接した光源の中心に対応する前記有効画面領域の一地点間の距離は、互いに隣接した光源間のピッチ以上である、請求項１０に記載の表示装置。
【請求項１５】
前記有効画面領域の端部及びこれに最も隣接した光源の中心に対応する前記有効画面領域の一地点間の距離は、２０ｍｍ〜２４ｍｍである、請求項１０に記載の表示装置。
【請求項１６】
前記複数の光源が集まって面光源装置を構成する、請求項１０に記載の表示装置。
【請求項１７】
前記光源はランプである、請求項１０に記載の表示装置。
【請求項１８】
前記固定部材は金属部材からなる、請求項１０に記載の表示装置。
【請求項１９】
前記パネルユニットは液晶表示パネルである、請求項１０に記載の表示装置。
【請求項２０】
前記表示装置はＴＶ用である、請求項１０に記載の表示装置。
【発明の詳細な説明】
【技術分野】
【０００１】
本発明は、光効率が優れているバックライトアセンブリ及びこれを含む表示装置に関し、より詳しくは、光源の配列を変形して光効率を向上させた、バックライトアセンブリ及びこれを含む表示装置に関する。
【背景技術】
【０００２】
近来急速に発展している半導体技術を中心にして、小型化及び軽量化されて性能がより向上した液晶表示装置の需要が爆発的に増加している。
近来脚光を浴びている液晶表示装置（liquid crystal display、ＬＣＤ）は、小型化、軽量化、及び低消費電力化などの利点を有しているため、既存のブラウン管（ＣＲＴ、cathode ray tube）の短所を克服することができる代替手段として注目されつつあり、現在は表示装置が必要なほとんど全ての情報処理機器に装着されて使用されている。
【０００３】
一般的な液晶表示装置は、液晶の特定の分子配列に電圧を印加して異なる分子配列に変換させ、このような分子配列によって発光する液晶セルの複屈折性、旋光性、２色性、及び光散乱特性などの光学的性質の変化を視覚の変化に変換するものであって、液晶セルによる光の変調を利用して情報を表示する受光型表示装置である。
液晶表示装置は受光型表示装置であるので、画像を表示するために光を供給するバックライトアセンブリ（backlight assembly）が必要である。バックライトアセンブリは光を出射する光源を収納する。特に、ＬＣＤ ＴＶなど大型液晶表示装置の場合には、複数の光源を設置して鮮明な画像を表示する。
【０００４】
大型液晶表示装置は、光源から出射した光で有効画面領域を形成する。有効画面領域は光が出射される領域であって、液晶表示パネルに光を供給して画像を表示する役割を果たす。大型液晶表示装置では、通常、中心部の輝度に比べて周縁の輝度が低いという問題点がある。
したがって、有効画面領域の端部に隣接した光源を端部に最大限近く位置するように配置して、このような問題点を解決している。しかし、この場合には、周縁に不必要な光が集中して、光の損失が発生する。そして、ランプ間のピッチを最大限広くするので、ランプ間の離間による輝線が発生する可能性が高い。したがって、輝線の発生を防止するために、ランプ及びその上部に位置する拡散板の距離を長くする必要があり、液晶表示装置の厚さが増加するという問題点がある。
【０００５】
また、光源が有効画面領域の端部に隣接して配置されると、光源が中心から遠くなって、有効画面領域の中心部の輝度が低下するという問題点がある。特に、視聴者はＬＣＤ ＴＶの周縁よりは中心部に視線を集中させる傾向があるので、中心部を基準に画像の鮮明さを判別する傾向があり、このことから視聴者は肉眼による輝度の低下を感じることとなる。
【発明の開示】
【発明が解決しようとする課題】
【０００６】
本発明は、前記問題点を解決するためのものであって、視認性を基準にして光効率を向上させることができる構造のバックライトアセンブリを提供する。
また、本発明は、前記バックライトアセンブリを含む表示装置を提供する。
【課題を解決するための手段】
【０００７】
本発明によるバックライトアセンブリは、装置の一方の辺に平行に長い形状であり並んで配列された複数の光源、及び複数の光源を収納する固定部材を含む。光源から出射する光を前面に照射する有効画面領域が形成され、有効画面領域を複数の光源の長さ方向の中心線に対応する線分で分割する場合に、互いに隣接した光源間に位置する分割有効画面領域の平均面積は、有効画面領域の端部及びこれに最も隣接した光源間に位置する端部有効画面領域の面積以下である。
【０００８】
本発明によるバックライトアセンブリは、固定部材上に設置されて、光源から出射する光を反射する反射シートをさらに含む。光源の長さ方向に沿って対向する反射シートの側面は傾斜面に形成され、傾斜面の傾斜角度は５０゜以下であるのが好ましい。
光源の長さ方向に沿って対向するボトムシャーシの内側面は傾斜面に形成され、傾斜面の傾斜角度は５０゜以下であるのが好ましい。
【０００９】
有効画面領域の中心部へ行くほど光源が密に配置されるのが好ましい。
有効画面領域の端部及びこれに最も隣接した光源の中心に対応する有効画面領域の一地点間の距離は、互いに隣接した光源間のピッチ（pitch）以上であるのが好ましい。
有効画面領域の端部及びこれに最も隣接した光源の中心に対応する有効画面領域の一地点間の距離は、２０ｍｍ〜２４ｍｍであるのが好ましい。
【００１０】
固定部材は金属部材からなることができる。
複数の光源が集まって面光源装置を構成することができる。
光源はランプでありうる。
本発明による表示装置は、画像を表示するパネルユニット、及びこれに光を供給するバックライトアセンブリを含む。バックライトアセンブリは、装置の一方の辺に平行に長い形状であり並んで配列された複数の光源、及びこれを収納する固定部材を含む。光源から出射した光を前面に照射する有効画面領域が形成され、有効画面領域を複数の光源の長さ方向の中心線に対応する線分で分割する場合に、互いに隣接した光源間に位置する分割有効画面領域の平均面積は、有効画面領域の端部及びこれに最も隣接した光源の間に位置する端部有効画面領域の面積以下である。
【００１１】
本発明による表示装置は、固定部材上に設置されて、光源から出射する光を反射する反射シートをさらに含む。光源の長さ方向に沿って対向する反射シートの側面は傾斜面に形成され、傾斜面の傾斜角度は５０゜以下であるのが好ましい。
本発明による表示装置では、光源の長さ方向に沿って対向する固定部材の内側面は傾斜面に形成され、傾斜面の傾斜角度は５０゜以下であるのが好ましい。
【００１２】
本発明による表示装置では、有効画面領域の中心部へ行くほど光源が密に配置されるのが好ましい。
本発明による表示装置では、有効画面領域の端部及びこれに最も隣接した光源の中心に対応する有効画面領域の一地点間の距離は、互いに隣接した光源間のピッチ以上であるのが好ましい。
【００１３】
本発明による表示装置では、有効画面領域の端部及びこれに最も隣接した光源の中心に対応する有効画面領域の一地点間の距離は、２０ｍｍ〜２４ｍｍであるのが好ましい。
本発明による表示装置では、複数の光源が集まって面光源装置を構成することができる。
本発明による表示装置では、光源はランプでありうる。
【００１４】
本発明による表示装置では、固定部材は金属部材からなることができる。
本発明による表示装置では、パネルユニットは液晶表示パネルでありうる。
本発明による表示装置はＴＶ用でありうる。
【発明の効果】
【００１５】
本発明によるバックライトアセンブリでは、互いに隣接した光源間に位置する分割有効画面領域の平均面積が、有効画面領域の端部及びこれと最も隣接した光源の間に位置する端部有効画面領域の面積以下であるので、光源を中心部に集中させて、不必要な光が周縁に集まって浪費される現象を防止することができる。
また、光源の長さ方向に沿って対向する反射シートの側面が傾斜面に形成され、傾斜面の傾斜角度が５０゜以下であるので、周縁での光の損失を最小化することができる。
【００１６】
そして、光源の長さ方向に沿って対向する固定部材の内側面が傾斜面に形成され、傾斜面の傾斜角度が５０゜以下であるので、周縁の輝度の低下を相殺することができる。
有効画面領域の中心部へ行くほど光源が密に配置されるので、光源のピッチが小さくて輝線が発生しないため、バックライトアセンブリの厚さを減少させることができる。
有効画面領域の端部及びこれに最も隣接した光源の中心に対応する有効画面領域の一地点間の距離が互いに隣接した光源間のピッチ以上であるので、光源を中心部に最大限近く配置して、輝度を実際に増加させることができる。
【００１７】
有効画面領域の端部及びこれに最も隣接した光源の中心に対応する有効画面領域の一地点間の距離が２０ｍｍ〜２４ｍｍであるので、光効率を最適に向上させることができる。
固定部材が金属部材からなるので、衝撃に強い。
光源がランプであるので、本発明を実際に適用するのが容易である。
本発明による表示装置は前記バックライトアセンブリを含むので、鮮明な画像を表示することができる。
【００１８】
パネルユニットは液晶表示パネルであるので、光効率が向上した鮮明な画像を表示することができる。
表示装置はＴＶ用であるので、視聴者が視聴する時により鮮明な画像を表示することができる。
【発明を実施するための最良の形態】
【００１９】
以下、図１〜図６を参照して本発明の実施例を説明する。このような本発明の実施例は単に本発明を例示するためのものであり、本発明はこれに限定されない。
図１には、主に大型液晶表示装置に使用される本発明の第１実施例による直下型バックライトアセンブリ７０を示した。図１に示したバックライトアセンブリ７０の構造は単に本発明を例示するためのものであり、本発明はこれに限定されない。したがって、他の構造のバックライトアセンブリにも本発明を適用することができる。
【００２０】
バックライトアセンブリ７０は、光学シート７２、拡散板７４、複数の光源７６、反射シート７９、及びフレームモールドサイド（frame mold side）７８などが結合されて構成される。これらの部品は固定部材によって収納及び固定される。固定部材は強度を勘案してシャーシを使用するのが好ましい。したがって、部品をボトムシャーシ（bottom chassis）７５に収納してミドルシャーシ（middle chassis）７１で固定する。
【００２１】
バックライトアセンブリ７０は、光源７６から出射する光を拡散して均一にして、上部方向（Ｚ軸方向）に放出する。それによって、バックライトアセンブリ７０の上部には光源７６から出射された光で有効画面領域が形成される。有効画面領域は実際に画像を表示することができる領域をいう。
光を出射する複数の光源７６はＸ軸方向に長くのびている。光源７６はＹ軸方向に並んで配列される。図１には光源７６としてランプを示したが、これは単に本発明を例示するためのものであり、本発明はこれに限定されない。例えば、ランプの代りに発光ダイオード（light emitting diode、ＬＥＤ）からなる線光源を使用することもできる。ランプはＣＣＦＬ（cold cathode fluorescent lamp、冷陰極蛍光ランプ）またはＥＥＦＬ（external electrode fluorescent lamp、外部電極蛍光ランプ）を使用することができる。
【００２２】
光源７６はボトムシャーシ７５の両端に設置されたランプホルダー（図示せず）に固定される。ランプホルダーを通じて光源７６の電極部を固定する。光源７６の電極部から配線を引き出してボトムシャーシ７５の下部に設置されたインバータ（inverter）（図示せず）に接続する。インバータは、外部電力を変換して駆動電圧を光源７６に印加する。ランプホルダーはフレームモールドサイド（図示せず）によってボトムシャーシ７５に固定される。
【００２３】
光源７６から出射した光は拡散板７４を通過しながら均一に拡散される。光源７６から出射した光は、反射シート７９によって反射されて上部に向かう。これによって、光の損失を最小化することができる。反射シート７９としては、反射効率が優れていて安価である白色のシート材を使用することができる。
外部から見た際に光源７６による輝線が発生しないように、光源７６及び拡散板７４を所定の距離で離間する。拡散板７４を通過した光は複数の光学シート７２を通過しながら直進性などを確保する。このために、光学シート７２はプリズムシートなどを含む。均一性及び高い輝度を確保した光はバックライトアセンブリ７０の上部に供給される。
【００２４】
ボトムシャーシ７５の内側面７５１は光源７６の長さ方向（Ｘ軸方向）に沿って対向する。内側面７５１は傾斜面に形成され、その上に反射シート７９の側面が位置するように設置される。したがって、光源７６から出射する光のほとんどが上部方向（Ｚ軸方向）にガイドされて、光の損失が発生する確率が少ない。
図１では、ボトムシャーシ７５の内側面７５１を傾斜面に形成したが、これは単に本発明を例示するためのものであり、本発明はこれに限定されない。したがって、ボトムシャーシ７５の内側面７５１ではなく、反射シート７９の側面を傾斜面に形成してもよい。
【００２５】
図２には、図１に示したバックライトアセンブリ７０の全ての部品を結合して示した。光源７６（図１に図示）から光を出射して上部方向（Ｚ軸方向）に有効画面領域を形成する。均一で輝度が向上した有効画面領域を得ることができる。
図３には、図２に示したバックライトアセンブリ７０のＺ軸方向からの外観を示した。図３では、説明の便宜上、ミドルシャーシ７１（図２に図示）を省略した。図３には光源の数を１６個示したが、これは単に本発明を例示するためのものであり、本発明はこれに限定されない。したがって、異なる数の光源を配置することができる。
【００２６】
光源７６（点線で図示）から出射した光で有効画面領域を形成する。有効画面領域の上下及び左右には光が出射しないダミー（dummy）領域を形成する。ミドルシャーシが光学シート７２の周囲を覆って固定するので、光が実際に出射しないダミー領域が形成される。ダミー領域の面積は、有効画面領域の面積に比べてきわめて微小であるので、光効率は大きく低下しない。
【００２７】
有効画面領域の下部には複数の光源７６が位置する。複数の光源７６の長さ方向の中心線に対応する線分で有効画面領域を分割すると仮定すれば、光源７６の長さ方向（Ｘ軸方向）にのびた有効画面領域が複数形成される。光源７６は総計で１６個であるので、有効画面領域は１７個に分割されることとなる。この場合に、互いに隣接した光源間に位置する分割有効画面領域（Ｓ２）が１５個生じる。図３には光源７６間の離間距離が同一である場合を示したが、場合によっては、光源７６間の離間距離が異なる構成とすることもできる。有効画面領域の上下端には有効画面領域の端部及びこれに最も隣接した光源との間に位置する端部有効画面領域（Ｓ１）が全部で２個生じる。
【００２８】
本発明では、互いに隣接した光源間に位置する分割有効画面領域（Ｓ２）の平均面積が有効画面領域の端部及びこれに最も隣接した光源間に位置する端部有効画面領域（Ｓ１）の面積以下になるようにする。これは、光源７６を配列することによって可能である。つまり、分割有効画面領域（Ｓ２）の平均面積が端部有効画面領域（Ｓ１）の面積以下になるように光源７６を配列する。
【００２９】
本発明では、光源７６を有効画面領域の端部に近接して配置しているので、有効画面領域の周縁の輝度を増加させる必要がない。つまり、分割有効画面領域（Ｓ２）の平均面積を端部有効画面領域（Ｓ１）の面積より大きくする必要がない。これによって、中心部の輝度は大きく増加する反面、周縁の輝度は多少低下する。
これによって光源７６間の間隔が比較的狭くなるので、輝線が発生する可能性が少ない。また、周縁での光の損失を最小化することができる。本発明で、光源７６の配置は、有効画面領域で測定した輝度分布ではなく、視聴者の視認性を勘案したものである。視聴者は有効画面領域の周縁よりは有効画面領域の中心部を基準に画面を視聴する。したがって、視聴者は中心部の輝度が向上すれば画質が鮮明であると認識する。その反面、視聴者は周縁をよく見ていないので、周縁の輝度が多少低下しても、視認性を勘案すれば、輝度の低下はほとんどない。
【００３０】
結果的に、視認性を勘案して本発明のように光源７６を配置すれば、輝度が向上した鮮明な画像を表示することができる。特に、中心部の輝度を向上させるために、有効画面領域の中心部へ行くほど光源７６を密に配置するのが好ましい。これによって、中心部の輝度を向上させて、視聴者に鮮明な画像を提供することができる。
一方、有効画面領域の輝度の低下は、ボトムシャーシを変形することによってある程度補償が可能である。これを以下の図４を参照して説明する。
【００３１】
図４は図２のIV-IV線に沿って切断した部分断面図であって、バックライトアセンブリ７０の内部構造を示す。説明のために、図４には有効画面領域の端部を中心に示した。
図４に示したように、ボトムシャーシ７５の内側面７５１の傾斜角度（α）が５０゜以下になるようにする。傾斜角度（α）を５０゜以下にすることで、有効画面領域の周縁の輝度の低下を最大限補償することができる。つまり、内側面７５１の傾斜角度（α）が５０゜以下である場合に、光源７６から出射する光を最大限上部に反射して、光の損失を最小化することができる。これによって、より多量の光を上部に供給することができるので、周縁の輝度の低下がそれほど大きく現れない。
【００３２】
図４で、有効画面領域の端部（Ｅ）及びこれに最も隣接した光源７６の中心（Ｃ１）に対応する有効画面領域の一地点（Ｃ１’）間の距離をＢと定義する。また、互いに隣接した光源７６間のピッチ（pitch）（光源の中心（Ｃ１、Ｃ２）間の距離）をＰと定義する。本発明では、ＢがＰ以上になるようにする。つまり、光源７６を有効画面領域の周縁から比較的遠くなるように配置する。これによって、有効画面領域の中心部の輝度を向上させることができる。Ｂは２０ｍｍ〜２４ｍｍであるのが好ましい。Ｂが２０ｍｍ未満である場合には、有効画面領域の中心部の輝度の向上が微小である。そして、Ｂが２４ｍｍを超える場合には、有効画面領域の周縁の輝度の低下が非常に深刻に現れる。
【００３３】
光源７６の配置によって現れる有効画面領域の周縁の輝度の低下は、傾斜面７５１の傾斜角度を調節することによって相殺する。これによって、肉眼で視聴する時に鮮明な画像を表示することができる。また、輝度の向上によってバックライトアセンブリ７０の高さをより低くすることができる。これによって、バックライトアセンブリ７０をコンパクトに製造することができる。
【００３４】
図５は本発明の第２実施例によるバックライトアセンブリ８０の断面構造を示す。本発明の第２実施例では、ボトムシャーシ８５の内側面は傾斜面でなく、Ｚ軸方向に向かう。反射シート７９の側面７９１は光源７６の長さ方向に沿って対向し、傾斜面に形成されてボトムシャーシ８５に支持される。傾斜面の傾斜角度（β）は５０゜以下であるのが好ましい。したがって、光源７６から射出される光を最大限上部に反射させて、光の損失を最小化することができる。
【００３５】
図６は本発明の第３実施例によるバックライトアセンブリ９０の断面構造を示す。図６には、複数の光源７６が集まって構成された面光源装置９１を示した。本発明の第３実施例によるバックライトアセンブリ９０の断面構造は、本発明の第１実施例によるバックライトアセンブリの断面構造と面光源装置９１の構造を除いては同一である。したがって、同一な部分には同一な図面符号を使用して、その詳細な説明は省略する。
【００３６】
本発明の第３実施例で、光源７６は面光源装置９１を構成する各チャンネルと定義する。面光源装置９１は上板９１１及び下板９１３を含む。上板９１１の上部は屈曲形に形成されて複数の光源７６をなし、各光源７６は隔壁９１５で区画される。各光源７６に形成された電極（図示せず）によって光源７６内に含まれた放電ガスが励起されて、紫外線を発生させる。紫外線は蛍光体層９１９に衝突して可視光線を発生させる。光の損失を防止するために、下板９１３上に反射層９１７を設置する。したがって、下部に向かう光を全て反射させて、光の損失を防止することができる。
【００３７】
本発明の第３実施例では、前記本発明の第１実施例と同一に、ＢがＰ以上になるようにする。つまり、光源７６を有効画面領域の周縁から比較的遠くなるように配置する。したがって、有効画面領域の中心部の輝度を向上させることができる。本発明の第３実施例では、図５に示した固定部材７５を使用することもできる。
図７は本発明の第１実施例によるバックライトアセンブリ７０上にパネルユニット（panel unit）５０を結合した表示装置１００を示す図面である。図７にはパネルユニットの一例として液晶表示パネルを示したが、これは単に本発明を例示するためのものであり、本発明はこれに限定されない。したがって、他の形態の受光型パネルユニットを使用することもできる。図７では、バックライトアセンブリ７０上に位置したパネルユニット５０をトップシャーシ（top chassis）６０で覆いながらバックライトアセンブリ７０と組立てて、表示装置１００を製造する。
【００３８】
パネルユニットアセンブリ４０は、パネルユニット５０、これと連結されて駆動信号を印加する駆動ＩＣパッケージ（driver integrated circuit package、driver IC package）４３、４４、及び印刷回路基板（printed circuit board、ＰＣＢ）４１、４２などを含む。駆動ＩＣパッケージとしては、ＣＯＦ（chip on film、チップオンフィルム）またはＴＣＰ（tape carrier package、テープキャリアパッケージ）などを使用することができる。駆動ＩＣパッケージ４３、４４上には各々集積回路チップ４３１、４４１を実装する。印刷回路基板４１、４２はトップシャーシ６０の側面に収納することができる。
【００３９】
パネルユニット５０は、複数のＴＦＴ（thin film transistor、薄膜トランジスタ）からなるＴＦＴパネル５１、ＴＦＴパネル５１の上部に位置するカラーフィルターパネル５３、及びこれらパネルの間に注入される液晶（図示せず）からなる。カラーフィルターパネル５３の上部及びＴＦＴパネル５１の下部には偏光板を付着して、パネルユニット５０を通過する光を偏光させる。
【００４０】
ＴＦＴパネル５１は、マトリックス状の薄膜トランジスタが形成されている透明なガラス基板であり、ソース端子にはデータラインが接続され、ゲート端子にはゲートラインが接続されている。そして、ドレイン端子には導電性材質で透明なＩＴＯ（indium tin oxide、インジウムチンオキシド）からなる画素電極が形成される。
前記パネルユニット５０のゲートライン及びデータラインに各々印刷回路基板４１、４２から電気的な信号が入力されると、ＴＦＴのゲート端子及びソース端子に電気的な信号が入力され、これら電気的な信号の入力によってＴＦＴがターンオンまたはターンオフされて、画素の形成に必要な電気的な信号がドレイン端子に出力される。
【００４１】
一方、ＴＦＴパネル５１に対向してその上にカラーフィルターパネル５３が配置されている。カラーフィルターパネル５３は、光が通過しながら所定の色が発現される色画素であるＲＧＢ画素が薄膜工程によって形成されたパネルであって、全面にＩＴＯからなる共通電極が塗布されている。ＴＦＴのゲート端子及びソース端子に電源が印加されて薄膜トランジスタがターンオンされると、画素電極とカラーフィルターパネルの共通電極との間には電界が形成される。このような電界によってＴＦＴパネル５１とカラーフィルターパネル５３との間に注入された液晶の配列角が変化し、変化した配列角によって光の透過度が変更されて、所望の画素が形成されるようになる。
【００４２】
パネルユニット５０の外部から映像信号の印加を受けてゲートライン及びデータラインに各々駆動信号を印加するための印刷回路基板４１、４２は、パネルユニット５０に付着された各々の駆動ＩＣパッケージ４３、４４と接続する。表示装置１００を駆動するために、ゲート側印刷回路基板４１はゲート駆動信号を伝送し、データ側印刷回路基板４２はデータ駆動信号を伝送する。つまり、ゲート駆動信号及びデータ駆動信号を各々の駆動ＩＣパッケージ４３、４４を通じてパネルユニット５０のゲートライン及びデータラインに印加する。バックライトアセンブリ７０の背面にはコントロールボード（control board）（図示せず）を設置する。コントロールボードは、データ側印刷回路基板４２と接続されて、アナログデータ信号をデジタルデータ信号に変換した後でパネルユニット５０に供給する。
【００４３】
パネルユニットアセンブリ４０上には、駆動ＩＣパッケージ４３、４４をバックライトアセンブリ７０の側面に折曲げて、パネルユニットアセンブリ４０がバックライトアセンブリ７０から離脱するのを防止するためのトップシャーシ６０を形成する。これで表示装置１００を製造して、鮮明な画像を表示することができる。
以下、実験例を通じて、本発明をより詳細に説明する。このような実験例は単に本発明を例示するためのものであり、本発明はこれに限定されない。
実験例１
３２インチの液晶表示パネルを対象にして実験した。ランプは総計で１６個使用し、図４に示したＢは本発明によって２３．６ｍｍ、Ｐは２３．０ｍｍとした。このように配置したランプに駆動電源を印加した。有効画面領域の輝度をランプの幅方向に有効画面領域の距離によって測定した。実験結果を図８に太い実線で示した。
実験例２
４０インチの液晶表示パネルを対象にして実験した。ランプは総計で２０個使用し、図４に示したＢは本発明によって２５．６ｍｍ、Ｐは２３．５ｍｍとした。このように配置したランプに駆動電源を印加した。有効画面領域の輝度をランプの幅方向に有効画面領域の距離によって測定した。実験結果を図８に実線で示した。
比較例
従来の３２インチの液晶表示パネルを対象にして実験した。ランプは総計で１６個使用し、図４に示したＢは従来のように３．３ｍｍ、Ｐは２４．５ｍｍとした。このように配置したランプに駆動電源を印加した。有効画面領域の輝度をランプの幅方向によって測定した。実験結果を図７に点線で示した。
【００４４】
図８に示したグラフで、左側には輝度（単位:ｃｄ／ｍ2）を示し、右側には有効画面領域の距離（単位:ｃｍ）を示した。実験例１及び実験例２では中心部の輝度が増加する反面、周縁では輝度が低下することが分かる。反面、比較例では周縁を除いては全体的に輝度が均一であることが分かる。
肉眼で前記液晶表示パネルを実際に視聴する時には、実験例１及び実験例２による液晶表示パネルの画面がより鮮明である。これは、液晶表示パネルの中心部の輝度が増加したことに起因する。一方、液晶表示パネルの周縁の輝度は低下したが、ボトムシャーシの傾斜面を小さくして光の損失を最少化したため、輝度の低下は著しくない。
【００４５】
本発明を前記のように説明したが、特許請求の範囲の概念及び範囲を逸脱しない限り、多様な修正及び変形が可能であるということが、本発明が属する技術分野に従事する者には容易に理解される。
【図面の簡単な説明】
【００４６】
【図１】本発明の第１実施例によるバックライトアセンブリの分解斜視図である。
【図２】本発明の第１実施例によるバックライトアセンブリの結合斜視図である。
【図３】本発明の第１実施例によるバックライトアセンブリ一部の平面図である。
【図４】図２のＡＡ線に沿って切断した断面図である。
【図５】本発明の第２実施例によるバックライトアセンブリの断面図である。
【図６】本発明の第３実施例によるバックライトアセンブリの断面図である。
【図７】本発明の第１実施例によるバックライトアセンブリを備えた表示装置の分解斜視図である。
【図８】本発明の実験例と比較例によるグラフである。
【符号の説明】
【００４７】
１００  表示装置
４０  パネルユニットアセンブリ
４１、４２  印刷回路基板
４３、４４  駆動ＩＣパッケージ
４３１、４４１  集積回路チップ
５０  パネルユニット
５１  薄膜トランジスタパネル（ＴＦＴパネル）
５３  カラーフィルターパネル
６０  トップシャーシ
７０、８０、９０  バックライトアセンブリ
７１  ミドルシャーシ
７２  光学シート
７４  拡散板
７５、８５ ボトムシャーシ
７５１  内側面
７６  光源
７９  反射シート
７９１  側面
９１  面光源装置
９１１  上板
９１３  下板
９１５  隔壁
９１７  反射層
【図１】
2006253141.tif 000003
【図２】
2006253141.tif 000004
【図３】
2006253141.tif 000005
【図４】
2006253141.tif 000006
【図５】
2006253141.tif 000007
【図６】
2006253141.tif 000008
【図７】
2006253141.tif 000009
【図８】
2006253141.tif 000010